(57)【特許請求の範囲】
【請求項１】
天井側に固定される基板と、
前記基板から立ち上げられた第一起立壁部と、
前記第一起立壁部と平行して前記基板から立ち上げられるとともに前記第一起立壁より高い第二起立壁部と、
前記第一起立壁部と前記第二起立壁部との間に形成されたパネル挿入部と、
前記第一起立壁部と前記第二起立壁部との先端部にそれぞれ形成され、前記パネル挿入部に挿入されるパネルの把持時に該パネルに圧接するよう前記パネル挿入部内側に折れ曲がっている折曲部と
を備え、
前記第一起立壁部と前記第二起立壁部とは、前記パネル挿入が終わる前記パネルを第二起立壁部方向へ回動が完了する挿入完了時には、該パネルの上端部を前記パネル挿入部内に該第一起立壁部と該第二起立壁部との復元力で該折曲部によって該パネルを両側から強固に圧接して把持するように構成され、
前記第一起立壁部の根本部近傍には、前記パネルを回動することにより前記第一起立壁部および前記第二起立壁部各々の折曲部を前記パネルにより押し広げられるときに該第一起立壁部が広がりやすくするために、前記折曲部に平行な複数の切り込み部を形成され、
前記第一起立壁部と前記第二起立壁部とにそれぞれ平行に置いた仮想線の間隔で表される前記折曲部の間隔は、前記パネル挿入部に挿入されるパネルの幅より小さく、
前記第一起立壁部と前記第二起立壁部とは、前記パネル挿入時に前記第一起立壁部と前記第二起立壁部との長さの差ΔＨを利用して前記パネルを該第一起立壁部の折曲部側から該第二起立壁部の折曲部側に向かって斜め方向に挿入する開口を形成するとともに、前記パネルを回動することにより前記第一起立壁部および前記第二起立壁部各々の折曲部を前記パネルにより押し広げられるよう構成されている
ことを特徴とする間仕切り用天井側金具。
【請求項２】
間仕切り用天井側金具と、
間仕切り用床側金具と
を備え、
前記間仕切り用天井側金具は、
天井側に固定される基板と、
前記基板から立ち上げられた第一起立壁部と、
前記第一起立壁部と平行して前記基板から立ち上げられるとともに前記第一起立壁より高い第二起立壁部と、
前記第一起立壁部と前記第二起立壁部との間に形成されたパネル挿入部と、
前記第一起立壁部と前記第二起立壁部との先端部にそれぞれ形成され、前記パネル挿入部に挿入されるパネルの把持時に該パネルに圧接するよう前記パネル挿入部内側に折れ曲がっている折曲部と
を備え、
前記第一起立壁部と前記第二起立壁部とにそれぞれ平行に置いた仮想線の間隔で表される前記折曲部の間隔は、前記パネル挿入部に挿入されるパネルの幅より小さく、
前記第一起立壁部と前記第二起立壁部とは、前記パネル挿入時に前記第一起立壁部と前記第二起立壁部との長さの差ΔＨを利用して前記パネルを該第一起立壁部の折曲部側から該第二起立壁部の折曲部側に向かって斜め方向に挿入する開口を形成するとともに、前記パネルを回動することにより前記第一起立壁部および前記第二起立壁部各々の折曲部を前記パネルにより押し広げられるよう構成され、
前記間仕切り用床側金具は、
床側に固定される基板と、前記基板から立ち上げられた第一パネル側部受け用起立壁部と、前記基板からほぼＬ字状に立ち上げられたパネル端部受け用折曲壁部と、前記パネル端部受け用折曲壁部と前記基板との間に形成されるとともに前記第一パネル側部受け用起立壁部とは反対側に開口する凹溝とを形成してなる固定用床側金具と、
前記第一パネル側部受け用起立壁部と同じ高さの第二パネル側部受け用起立壁部と、前記第二パネル側部受け用起立壁部の側部に形成され、前記凹溝内に嵌入されて該凹溝の内壁面に係止される２つの平行な壁面から成る係止用壁部と、前記第二パネル側部受け用起立壁部の下端部に形成される載置部とを形成し、前記固定用床側金具にパネル固定時に組み付けられる挿入用床側金具と
を備え、
前記固定用床側金具の前記パネル端部受け用折曲壁部上でパネルの下端部側底面部を支持するとともに、前記第一パネル側部受け用起立壁部と前記固定用床側金具の凹溝内に前記係止用壁部を嵌入して固定される前記挿入用床側金具の前記第二パネル側部受け用起立壁部とによって前記パネルの下端部側側面部を把持するように構成されている
ことを特徴とする間仕切り用金具。
【請求項３】
請求項２に記載の間仕切り用金具と、
複数のパネルと
を備え、
前記間仕切り用天井側金具は、天井側に前記基板を固定することにより取り付けられ、
前記固定用床側金具は、床側に前記基板を固定することにより取り付けられ、
前記複数のパネルは、上端部が前記間仕切り用天井側金具の前記パネル挿入部内に嵌入され、下端部が前記固定用床側金具の前記パネル端部受け用折曲壁部に載置されるとともに前記第一パネル側部受け用起立壁部と前記固定用床金具の凹溝内に前記係止用壁部を嵌入して固定される前記挿入用床側金具の前記第二パネル側部受け用起立壁部とによって把持されている
ことを特徴とする間仕切り。
【発明の詳細な説明】
【技術分野】
【０００１】
本発明は、例えば、クリーンルームのクリーンエリアを確保するためなどに用いられる間仕切り用天井側金具およびこれを用いた間仕切りに関する。
【背景技術】
【０００２】
従来、例えば、クリーンルームにおいては、特開平６−１９３１６１号公報に開示されるように、クリーンエリアを確保するために間仕切りで区画されている。
クリーンルームの間仕切り壁は、通常２０ｍｍ〜４０ｍｍの心材の両面に薄いアルミニウムまたはカラー鋼板で仕上げたサンドイッチ状のパネルで仕切られている。
その一例を図１４ないし図１７により説明する。
【０００３】
天井側では、図１４または図１５に示すように、天井部またはフィルタ取付枠などの天井部材１にアルミニウム製アングル材２を取り付け、そのアルミニウム製アングル材２にパネル３を小型ビス４で止め付け、各所隙間は気密保持のためにシリコーンシーラ５でシールしている。
一方、床側では、図１４または図１５に示すように、アルミニウム製アングル材６またはアルミニウム製チャンネル７を取り付け、アルミニウム製アングル材６またはアルミニウム製チャンネル７にパネル３を小型ビス８で止め付け、各所隙間は気密保持のためにシリコーンシーラ９でシールしている。
【０００４】
また、図１６または図１７に示すように、パネル３，３間では、シリコーンシーラ１０またはＨ型ジョイナー１１でシールし、気密性を持たせて結合している。
【特許文献１】特開平６−１９３１６１号公報
【発明の開示】
【発明が解決しようとする課題】
【０００５】
特開平６−１９３１６１号公報に開示されるように、室内の生産装置の変更やレイアウトの変更などに対し、間仕切りの変更を行うことは、比較的容易に行うことが可能である。
しかし、図１４ないし図１７に示す従来の間仕切りの設置では、工数が多く掛かり、シール処理の熟練度が要求され、工期短縮やコスト削減の大きな課題となっている。
【０００６】
さらに、最近、シリコーンシーラからのガス発生が問題となっており、シリコーンシーラを使用しない工法が要望されている。
本発明は斯かる従来の問題点を解決するために為されたもので、その目的は、作業が容易で確実に設置することが可能でかつシリコーンシーラを必要としない間仕切り用天井側金具およびこれを用いた間仕切りを提供することにある。
【課題を解決するための手段】
【０００７】
請求項１に係る発明は、天井側に固定される基板と、前記基板から立ち上げられた第一起立壁部と、前記第一起立壁部と平行して前記基板から立ち上げられるとともに前記第一起立壁より高い第二起立壁部と、前記第一起立壁部と前記第二起立壁部との間に形成されたパネル挿入部と、前記第一起立壁部と前記第二起立壁部との先端部にそれぞれ形成され、前記パネル挿入部に挿入されるパネルの把持時に該パネルに圧接するよう前記パネル挿入部内側に折れ曲がっている折曲部とを備え、前記第一起立壁部と前記第二起立壁部とは、前記パネル挿入が終わる前記パネルを第二起立壁部方向へ回動が完了する挿入完了時には、該パネルの上端部を前記パネル挿入部内に該第一起立壁部と該第二起立壁部との復元力で該折曲部によって該パネルを両側から強固に圧接して把持するように構成され、前記第一起立壁部の根本部近傍には、前記パネルを回動することにより前記第一起立壁部および前記第二起立壁部各々の折曲部を前記パネルにより押し広げられるときに該第一起立壁部が広がりやすくするために、前記折曲部に平行な複数の切り込み部を形成され、前記第一起立壁部と前記第二起立壁部とにそれぞれ平行に置いた仮想線の間隔で表される前記折曲部の間隔は、前記パネル挿入部に挿入されるパネルの幅より小さく、前記第一起立壁部と前記第二起立壁部とは、前記パネル挿入時に前記第一起立壁部と前記第二起立壁部との長さの差ΔＨを利用して前記パネルを該第一起立壁部の折曲部側から該第二起立壁部の折曲部側に向かって斜め方向に挿入する開口を形成するとともに、前記パネルを回動することにより前記第一起立壁部および前記第二起立壁部各々の折曲部を前記パネルにより押し広げられるよう構成されていることを特徴とする。
【０００８】
請求項２に係る発明は、間仕切り用天井側金具と、間仕切り用床側金具とを備え、前記間仕切り用天井側金具は、天井側に固定される基板と、前記基板から立ち上げられた第一起立壁部と、前記第一起立壁部と平行して前記基板から立ち上げられるとともに前記第一起立壁より高い第二起立壁部と、前記第一起立壁部と前記第二起立壁部との間に形成されたパネル挿入部と、前記第一起立壁部と前記第二起立壁部との先端部にそれぞれ形成され、前記パネル挿入部に挿入されるパネルの把持時に該パネルに圧接するよう前記パネル挿入部内側に折れ曲がっている折曲部とを備え、前記第一起立壁部と前記第二起立壁部とにそれぞれ平行に置いた仮想線の間隔で表される前記折曲部の間隔は、前記パネル挿入部に挿入されるパネルの幅より小さく、前記第一起立壁部と前記第二起立壁部とは、前記パネル挿入時に前記第一起立壁部と前記第二起立壁部との長さの差ΔＨを利用して前記パネルを該第一起立壁部の折曲部側から該第二起立壁部の折曲部側に向かって斜め方向に挿入する開口を形成するとともに、前記パネルを回動することにより前記第一起立壁部および前記第二起立壁部各々の折曲部を前記パネルにより押し広げられるよう構成され、前記間仕切り用床側金具は、床側に固定される基板と、前記基板から立ち上げられた第一パネル側部受け用起立壁部と、前記基板からほぼＬ字状に立ち上げられたパネル端部受け用折曲壁部と、前記パネル端部受け用折曲壁部と前記基板との間に形成されるとともに前記第一パネル側部受け用起立壁部とは反対側に開口する凹溝とを形成してなる固定用床側金具と、前記第一パネル側部受け用起立壁部と同じ高さの第二パネル側部受け用起立壁部と、前記第二パネル側部受け用起立壁部の側部に形成され、前記凹溝内に嵌入されて該凹溝の内壁面に係止される２つの平行な壁面から成る係止用壁部と、前記第二パネル側部受け用起立壁部の下端部に形成される載置部とを形成し、前記固定用床側金具にパネル固定時に組み付けられる挿入用床側金具とを備え、前記固定用床側金具の前記パネル端部受け用折曲壁部上でパネルの下端部側底面部を支持するとともに、前記第一パネル側部受け用起立壁部と前記固定用床側金具の凹溝内に前記係止用壁部を嵌入して固定される前記挿入用床側金具の前記第二パネル側部受け用起立壁部とによって前記パネルの下端部側側面部を把持するように構成されていることを特徴とする。
【０００９】
請求項３に係る発明は、請求項２に記載の間仕切り用金具と、複数のパネルとを備え、前記間仕切り用天井側金具は、天井側に前記基板を固定することにより取り付けられ、前記固定用床側金具は、床側に前記基板を固定することにより取り付けられ、前記複数のパネルは、上端部が前記間仕切り用天井側金具の前記パネル挿入部内に嵌入され、下端部が前記固定用床側金具の前記パネル端部受け用折曲壁部に載置されるとともに前記第一パネル側部受け用起立壁部と前記固定用床金具の凹溝内に前記係止用壁部を嵌入して固定される前記挿入用床側金具の前記第二パネル側部受け用起立壁部とによって把持されていることを特徴とする。
【発明の効果】
【００１１】
本発明によれば、パネルをシール材、接着剤、固定ビスなどを用いることなく簡単に構築することができるので、間仕切りおよび間仕切りの接合構造を簡便に確実に設置することが可能となる。
【発明を実施するための最良の形態】
【００１２】
以下、本発明を図面に示す実施形態に基づいて説明する。
図１は、本発明の一実施形態に係る間仕切り用天井側金具２０を示す。
本実施形態に係る間仕切り用天井側金具２０は、天井側に固定される底面部２１ａを有し、長手方向に伸張する基板２１と、この基板２１から立ち上げられた長手方向に伸張する第一起立壁部２２と、この第一起立壁部２２と平行して基板２１から立ち上げられるとともに、第一起立壁２２の高さＨ１より高い高さＨ２を有し、長手方向に伸張する第二起立壁部２３と、第一起立壁部２２と第二起立壁部２３との間に形成された長手方向に伸張するパネル挿入部２４とを備えている。
【００１３】
本実施形態に係る間仕切り用天井側金具２０は、アルミニウムの押出し材または引抜材で構成される長尺の型成形材料であり、勿論、間仕切りを形成する天井側金具として要求される機能を持つのに十分な剛性を有する構造体である。
基板２１は、ビスなどの金具または接着剤などによって底面部２１ａが固着される。
第一起立壁部２２は、パネルＰを差し込むときに、パネルＰの上端部Ｐａを第一起立壁部２２と第二起立壁部２３との間に挿入し易くするために第二起立壁部２３より低く形成されている。
【００１４】
また、第一起立壁部２２と第二起立壁部２３とは、パネル挿入部２４に挿入されるパネルＰの上端部Ｐａ側を把持する機能を発揮する。
そのために、第一起立壁部２２と第二起立壁部２３とは、それぞれの先端部に内側に向かって折れ曲がる折曲部２２ａ，２３ａを形成している。第一起立壁部２２と第二起立壁部２３とにそれぞれ平行に置いた仮想線ｈ１，ｈ２の間隔Ｌ１で表される折曲部２２ａ，２３ａの間隔は、パネルＰの幅Ｌ０より小さくなるようにしてある。
【００１５】
また、第一起立壁部２２には、第一起立壁部２２がパネルＰによって押し広げられるときに第一起立壁部２２が広がりやすくするために、根本部近傍に複数の切り込み部２２ｂが形成されている。また、複数の切り込み部２２ｂは、復帰時に第一起立壁部２２にバネ力を付与する機能も発揮する。
次に、このように構成された本実施形態に係る間仕切り用天井側金具２０の作用を説明する。
【００１６】
先ず、天井部またはフィルタ取付枠などの天井側２７に、基板２１の底面部２１ａをビスなどの金具または接着剤などによって固着する。
次に、このように固定された間仕切り用天井側金具２０にパネルＰを下側から取り付ける。
この際、間仕切り用天井側金具２０は、第一起立壁部２２の高さＨ１が第二起立壁部２３の高さＨ２より低く形成されているので、パネルＰを斜め方向からパネルＰの上端部Ｐａを第一起立壁部２２と第二起立壁部２３との間に挿入し、その後にパネルＰを第二起立壁部２３方向へ回動することにより、パネルＰを第一起立壁部２２と第二起立壁部２３との間に容易に挿入することができる。
【００１７】
このパネルＰの挿入時には、第一起立壁部２２の先端部と第二起立壁部２３の先端部にそれぞれ設けた折曲部２２ａ，２３ａとがパネルＰによって押し広げられ、それに追随して第一起立壁部２２と第二起立壁部２３とが押し広げられる。
そして、パネルＰの挿入が終わると、挿入されたパネルＰに対して第一起立壁部２２および第二起立壁部２３が復元力によりそれぞれの折曲部２２ａ，２３ａを介して押圧力を与えることとなり、強固に圧接することとなる。
【００１８】
この際、パネルＰと折曲部２２ａ，２３ａとは、折曲部２２ａ，２３ａによる圧接力によりシール無しでも十分に気密性を保持することが可能となる。
以上のように、本実施形態に係る間仕切り用天井側金具２０によれば、天井側２７から立ち下がる第一起立壁部２２と第二起立壁部２３とに長さの差ΔＨを設けたので、パネルＰの挿入は、パネルＰを斜めにして上端部Ｐａをパネル挿入部２４内に挿入するだけで容易にできる。
【００１９】
しかも、第一起立壁部２２の先端部と第二起立壁部２３の先端部とにそれぞれ設けた折曲部２２ａ，２３ａは、手前側になる第一起立壁部２２の折曲部２２ａが第二起立壁部２３の折曲部２３ａの位置より低くしてあるので、パネル挿入部２４内に挿入されたパネルＰの側面Ｐ１，Ｐ２が折曲部２２ａ，２３ａに当接し、パネルＰの挿入を助け、かつ回動をし易くすることができる。
【００２０】
図２ないし図４は、本発明の一実施形態に用いる間仕切り用床側金具３０を示す。
本実施形態に用いる間仕切り用床側金具３０は、床側に固定される固定用床側金具３１と、この固定用床側金具３１にパネル固定時に組み付けられる挿入用床側金具３６とで構成されている。
本実施形態に用いる間仕切り用床側金具３０は、アルミニウムの押出し材または引抜材で構成される長尺の型成形材料であり、勿論、間仕切りを形成する床側金具として要求される機能を持つのに十分な剛性を有する構造体である。
【００２１】
固定用床側金具３１は、床側４０に固定される底面部３２ａを有し、長手方向に伸張する基板３２と、この基板３２から立ち上げられた長手方向に伸張する第一パネル側部受け用起立壁部３３と、基板３２からほぼＬ字状に立ち上げられた長手方向に伸張するパネル端部受け用折曲壁部３４と、このパネル端部受け用折曲壁部３４と基板３２との間に形成されるとともに、第一パネル側部受け用起立壁部３３とは反対側に開口し、長手方向に伸張する凹溝３５とを備えている。
【００２２】
挿入用床側金具３６は、第一パネル側部受け用起立壁部３３と同じ高さを有し、長手方向に伸張する第二パネル側部受け用起立壁部３７と、この第二パネル側部受け用起立壁部３７の側部に形成され、凹溝３５内に嵌入されて凹溝３５の内壁面３５ａ，３５ｂに係止される２つの平行な壁面３８ａ，３８ｂを形成した長手方向に伸張する係止用壁部３８と、第二パネル側部受け用起立壁部３７の下端部に形成され長手方向に伸張する載置部３９とを備えている。
【００２３】
第一パネル側部受け用起立壁部３３の先端部と第二パネル側部受け用起立壁部３７の先端部とには、パネルＰの把持時にパネルＰに圧接する折曲部３３ａ，３７ａが長手方向に伸張して形成されている。
第一パネル側部受け用起立壁部３３には、折曲部３３ａよりに複数の切り込み部３３ｂが形成されている。また、複数の切り込み部３３ｂは、パネルＰの把持時に第一パネル側部受け用起立壁部３３にバネ力を付与する機能も発揮する。
【００２４】
凹溝３５と係止用壁部３８とには、凹溝３５内に係止用壁部３８を嵌入時に両者を結合する係止用の凹部３８ｃ，３８ｄおよび凸部３５ｂ，３５ｃが長手方向に伸張して形成されている。
次に、斯くして構成された本実施形態に用いる間仕切り用床側金具３０の作用を説明する。
【００２５】
先ず、固定用床側金具３１は、床側４０に基板３２の底面部３２ａをビスなどの金具または接着剤などによって固着される。
次に、パネルＰの下端部Ｐｂを固定用床側金具３１のパネル端部受け用折曲壁部３４上でパネルＰの下端部側底面部Ｐｂ１を支持する。
次に、パネルＰの側部Ｐ２側から挿入用床側金具３６を固定用床側金具３１に向かって押圧し、固定用床側金具３１の凹溝３５内に係止用壁部３８を嵌入する。そして、凹溝３５と係止用壁部３８とは、それぞれに設けた係止用の凹部３８ｃ，３８ｄおよび凸部３５ｂ，３５ｃを係合することによって、強固に結合される。
【００２６】
これによって、パネルＰの下端部側側面部Ｐｂ２，Ｐｂ３が第一パネル側部受け用起立壁部３３と第二パネル側部受け用起立壁部３７とによって把持される。
この際、パネルＰと折曲部３３ａ，３７ａとは、折曲部３３ａ，３７ａによる圧接力によりシール無しでも十分に気密性を保持することが可能となる。
以上のように、本実施形態に用いる間仕切り用床側金具３０によれば、パネルＰの下端部Ｐｂを固定用床側金具３１のパネル端部受け用折曲壁部３４上で下端部側底面部Ｐｂ１を支持するとともに、パネルＰの下端部Ｐｂの下端部側側面部Ｐｂ２を床側４０から立ち下がる第一パネル側部受け用起立壁部３３に押し当てた状態で、パネルＰの側部Ｐ２側から挿入用床側金具３６を固定用床側金具３１に向かって押圧し、固定用床側金具３１の凹溝３５内に係止用壁部３８を嵌入することによって、第一パネル側部受け用起立壁部３３と第二パネル側部受け用起立壁部３７とによってパネルＰの下端部側側面部Ｐｂ２，Ｐｂ３を把持することができるので、パネルＰの床側固定が容易にできる。
【００２７】
しかも、固定用床側金具３１の凹溝３５内に嵌入した係止用壁部３８は、載置されたパネルＰの荷重により、両者の噛み合いがより強固となり、通常の力では両者を離すことはできない係合状態を確保することができる。
図５ないし図７は、本発明の一実施形態に用いる間仕切り用垂直部材側金具５０を示す。
【００２８】
本実施形態に用いる間仕切り用垂直部材側金具５０は、柱、壁などの垂直部材側６０に固定される固定用垂直部材側金具５１と、この固定用垂直部材側金具５１にパネル固定時に組み付けられる挿入用垂直部材側金具５６とで構成されている。
本実施形態に用いる間仕切り用垂直部材側金具５０は、アルミニウムの押出し材または引抜材で構成される長尺の型成形材料であり、勿論、間仕切りを形成する垂直部材側金具として要求される機能を持つのに十分な剛性を有する構造体である。
【００２９】
固定用垂直部材側金具５１は、垂直部材側６０に固定される底面部５２ａを有し、長手方向に伸張する基板５２と、この基板５２から立ち上げられた長手方向に伸張する第一パネル側部受け用起立壁部５３と、基板５２からほぼＬ字状に立ち上げられた長手方向に伸張するパネル端部受け用折曲壁部５４と、このパネル端部受け用折曲壁部５４と基板５２との間に形成されるとともに、第一パネル側部受け用起立壁部５３とは反対側に開口し、長手方向に伸張する凹溝５５とを備えている。
【００３０】
挿入用垂直部材側金具５６は、第一パネル側部受け用起立壁部５３と同じ高さを有し、長手方向に伸張する第二パネル側部受け用起立壁部５７と、この第二パネル側部受け用起立壁部５７の側部に形成され、凹溝５５内に嵌入されて凹溝５５の内壁面５５ａ，５５ｂに係止される２つの平行な壁面５８ａ，５８ｂを形成した長手方向に伸張する係止用壁部５８と、第二パネル側部受け用起立壁部５７の下端部に形成され長手方向に伸張する載置部５９とを備えている。
【００３１】
第一パネル側部受け用起立壁部５３の先端部と第二パネル側部受け用起立壁部５７の先端部とには、パネルＰの把持時にパネルＰに圧接する折曲部５３ａ，５７ａが長手方向に伸張して形成されている。
第一パネル側部受け用起立壁部５３には、折曲部５３ａよりに複数の切り込み部５３ｂが形成されている。また、複数の切り込み部５３ｂは、パネルＰの把持時に第一パネル側部受け用起立壁部５３にバネ力を付与する機能も発揮する。
【００３２】
凹溝５５と係止用壁部５８とには、凹溝５５内に係止用壁部５８を嵌入時に両者を結合する係止用の凹部５８ｃ，５８ｄおよび凸部５５ｂ，５５ｃが長手方向に伸張して形成されている。
次に、斯くして構成された本実施形態に用いる間仕切り用垂直部材側金具５０の作用を説明する。
【００３３】
先ず、固定用垂直部材側金具５１は、垂直部材側６０に基板５２の底面部５２ａをビスなどの金具または接着剤などによって固着される。
次に、パネルＰの側端部Ｐｃを固定用垂直部材側金具５１のパネル端部受け用折曲壁部５４上でパネルＰの側端部側側面部Ｐｃ１を支持する。
次に、パネルＰの側部Ｐ２側から挿入用垂直部材側金具５６を固定用垂直部材側金具５１に向かって押圧し、固定用垂直部材側金具５１の凹溝５５内に係止用壁部５８を嵌入する。そして、凹溝５５と係止用壁部５８とは、それぞれに設けた係止用の凹部５８ｃ，５８ｄおよび凸部５５ｂ，５５ｃを係合することによって、強固に結合される。
【００３４】
これによって、パネルＰが第一パネル側部受け用起立壁部５３と第二パネル側部受け用起立壁部５７とによってパネルＰの側端部側側面部Ｐｃ２，Ｐｃ３を把持することができる。
この際、パネルＰと折曲部５３ａ，５７ａとは、折曲部５３ａ，５７ａによる圧接力によりシール無しでも十分に気密性を保持することが可能となる。
【００３５】
以上のように、本実施形態に用いる間仕切り用垂直部材側金具５０によれば、パネルＰの側端部Ｐｃを固定用垂直部材側金具５１のパネル端部受け用折曲壁部５４上で側端部側側面部Ｐｃ１を支持するとともに、パネルＰの側端部Ｐｃの側端部側側面部Ｐｃ２を垂直部材側６０から立ち下がる第一パネル側部受け用起立壁部５３に押し当てた状態で、パネルＰの側部Ｐ２側から挿入用床側金具５６を固定用垂直部材側金具５１に向かって押圧し、固定用垂直部材側金具５１の凹溝５５内に係止用壁部５８を嵌入することによって、パネルＰが第一パネル側部受け用起立壁部５３と第二パネル側部受け用起立壁部５７とによってパネルＰの側端部側側面部Ｐｃ２，Ｐｃ３を把持することができるので、パネルＰの垂直部材側固定が容易にできる。
【００３６】
しかも、固定用垂直部材側金具５１の凹溝５５内に嵌入した係止用壁部５８は、載置されたパネルＰの荷重により、両者の噛み合いがより強固となり、通常の力では両者を離すことはできない係合状態を確保することができる。
図８ないし図１０は、本発明の一実施形態に用いる間仕切り７０を示す。
本実施形態に用いる間仕切り７０は、図１に示す間仕切り用天井側金具２０と図２ないし図４に示す間仕切り用床側金具３０とから成る間仕切り用金具Ｓと、複数のパネルＰとで構成されている。
【００３７】
間仕切り用金具Ｓは、複数のパネルＰが天井部またはフィルタ取付枠などの天井側７１と床側７２との間に垂直に固定できるように、図１に示す間仕切り用天井側金具２０と図２ないし図４に示す間仕切り用床側金具３０とを対向してそれぞれの底面部２１ａ，３２ａを接着剤またはビスなどによって固定することによって設置されている。
次に、図８に基づいてパネルＰの組付について説明する。
【００３８】
先ず、図８（ａ）に示すように、パネルＰの上端部Ｐａを斜め方向から間仕切り用天井側金具２０の第一起立壁部２２と第二起立壁部２３との間に挿入し、その後にパネルＰを間仕切り用床側金具３０方向へ回動する。
この際、間仕切り用天井側金具２０は、図１に示すように、第一起立壁部２２の高さＨ１が第二起立壁部２３の高さＨ２より低く形成されているので、パネルＰを斜め方向からパネルＰの上端部Ｐａを第一起立壁部２２と第二起立壁部２３との間に挿入し、その後にパネルＰを第二起立壁部２３方向へ回動することにより、パネルＰを第一起立壁部２２と第二起立壁部２３との間に容易に挿入することができる。
【００３９】
このパネルＰの挿入時には、第一起立壁部２２の先端部と第二起立壁部２３の先端部にそれぞれ設けた折曲部２２ａ，２３ａとがパネルＰによって押し広げられ、それに追随して第一起立壁部２２と第二起立壁部２３とが押し広げられる。
そして、パネルＰの挿入が終わると、挿入されたパネルＰに対して第一起立壁部２２および第二起立壁部２３が復元力によりそれぞれの折曲部２２ａ，２３ａを介して押圧力を与えることとなり、強固に圧接することとなる。
【００４０】
この際、パネルＰと折曲部２２ａ，２３ａとは、折曲部２２ａ，２３ａによる圧接力によりシール無しでも十分に気密性を保持することが可能となる。
次に、図８（ｂ）に示すように、パネルＰの下端部Ｐｂを間仕切り用床側金具３０の固定用床側金具３１のパネル端部受け用折曲壁部３４上でパネルＰの下端部側底面部Ｐｂ１を支持する。
【００４１】
次に、図８（ｃ）および図２に示すように、パネルＰの側部Ｐ２側から挿入用床側金具３６を固定用床側金具３１に向かって押圧し、固定用床側金具３１の凹溝３５内に係止用壁部３８を嵌入する。そして、凹溝３５と係止用壁部３８とは、それぞれに設けた係止用の凹部３８ｃ，３８ｄおよび凸部３５ｂ，３５ｃを係合することによって、強固に結合される。
【００４２】
これによって、図８（ｄ）および図２に示すように、パネルＰは、第一パネル側部受け用起立壁部３３と第二パネル側部受け用起立壁部３７とによってパネルＰの下端部側側面部Ｐｂ２，Ｐｂ３が把持されることとなる。
この際、パネルＰと折曲部３３ａ，３７ａとは、折曲部３３ａ，３７ａによる圧接力によりシール無しでも十分に気密性を保持することが可能となる。
【００４３】
以上により、パネルＰの取付が完了する。
次に、パネルＰの側部Ｐ１またはＰ２に横断面Ｈ型の連結金具８０を取り付ける。
この連結金具８０は、２つの凹溝状の受け部８１，８２を有するとともに両受け部８１，８２の先端部にパネルＰの把持時にパネルＰに圧接する折曲部８１ａ，８１ｂ、８２ａ，８２ｂが形成されている。
【００４４】
連結部材８０は、アルミニウムの押出し材または引抜材で構成される長尺の型成形材料であり、勿論、間仕切りを形成する連結金具として要求される機能を持つのに十分な剛性を有する構造体である。
次に、次のパネルＰを同様にして間仕切り用金具Ｓに取り付け、連結金具８０側へ移動して隣り合うパネルＰとの間の隙間を連結金具８０により埋める。
【００４５】
これにより、パネルＰ間の隙間は連結金具８０の折曲部８１ａ，８１ｂ、８２ａ，８２ｂがパネルＰに圧接し、折曲部８１ａ，８１ｂ、８２ａ，８２ｂによる圧接力によりシール無しでも十分に気密性を保持することが可能となる。
以上の操作を繰り返すことによって、必要とするパネルＰの組付を行い、目的とする間仕切り７０を得る。図１０はその一例を示す。
【００４６】
以上のように、本実施形態によれば、パネルＰの取付が容易に行える。
取り付けられたパネルＰは、間仕切り用金具Ｓの折曲部２２ａ，２３ａ，３３ａ，３７ａおよび連結金具８０の折曲部８１ａ，８１ｂ、８２ａ，８２ｂにより気密性を持って把持されるので、シール処理に熟練工を必要とせず、工期が短縮でき、コストも低減できる。
【００４７】
しかも、パネルＰのシール部分には、従来のようにシリコーンシーラを用いないので、シリコーンシーラの使用に伴う不具合が解消される。
図１１ないし図１３は、本発明の別の実施形態に用いる間仕切り９０を示す。
本実施形態に用いる間仕切り９０は、図１に示す間仕切り用天井側金具２０と図２ないし図４に示す間仕切り用床側金具３０と図５ないし図７に示す間仕切り用垂直部材側金具５０とから成る間仕切り用金具ＳＡと、複数のパネルＰとで構成されている。
【００４８】
本実施形態に用いる間仕切り９０は、柱９２に間仕切り用垂直部材側金具５０を取り付けた点で、図１０に示す間仕切り７０とは相違する。
本実施形態に用いる間仕切り９０では、柱９２に間仕切り用垂直部材側金具５０を取り付けたので、柱９２との間においても、十分な気密性を保持することが可能となる。
なお、図１２は、柱９２に対して三方向に間仕切り９０を設けた場合、図１３は、柱９２に対して二方向に間仕切り９０を設けた場合を示す。
【００４９】
勿論、間仕切り９０の設置は、柱９２に対して四方向でも一方向でも良い。
【図面の簡単な説明】
【００５０】
【図１】本発明の一実施形態に係る間仕切り用天井側金具を示す側面図である。
【図２】本発明の一実施形態に用いる間仕切り用床側金具を示す側面図である。
【図３】図２に示す間仕切り用床側金具の固定用床側金具を示す側面図である。
【図４】図２に示す間仕切り用床側金具の挿入用床側金具を示す側面図である。
【図５】本発明の一実施形態に用いる間仕切り用垂直部材側金具を示す側面図である。
【図６】図５に示す間仕切り用垂直側金具の固定用垂直部材側金具を示す側面図である。
【図７】図５に示す間仕切り用垂直部材側金具の挿入用垂直部材側金具を示す側面図である。
【図８】本発明の一実施形態に係る間仕切りの組立手順を示す説明図である。
【図９】パネルの接合部を示す平面図である。
【図１０】本発明の一実施形態に係る間仕切りを示す正面図である。
【図１１】本発明の別の実施形態に係る間仕切りを示す正面図である。
【図１２】本発明の別の実施形態に係る間仕切りの要部を示す平面図である。
【図１３】本発明の別の実施形態に係る間仕切りの要部を示す平面図である。
【図１４】従来の間仕切りを示す説明図である。
【図１５】従来の間仕切りを示す説明図である。
【図１６】（ａ）従来の間仕切りにおけるパネルの接合部を示す正面図である。              （ｂ）従来の間仕切りにおけるパネルの接合部を示す平面図である。
【図１７】（ａ）従来の間仕切りにおけるパネルの接合部を示す正面図である。              （ｂ）従来の間仕切りにおけるパネルの接合部を示す平面図である。
【符号の説明】
【００５１】
２０  間仕切り用天井側金具
２１  基板
２２  第一起立壁部
２２ａ，２３ａ  折曲部
２３  第二起立壁部
２４  パネル挿入部
３０  間仕切り用床側金具
３１  固定用床側金具
３２  基板
３３  第一パネル側部受け用起立壁部
３３ａ，３７ａ  折曲部
３４  パネル端部受け用折曲壁部
３５  凹溝
３６  挿入用床側金具
３７  第二パネル側部受け用起立壁部
３８  係止用壁部
３９  載置部
４０  床側
５０  間仕切り用垂直部材側金具
５１  固定用垂直部材側金具
５２  基板
５３  第一パネル側部受け用起立壁部
５４  パネル端部受け用折曲壁部
５５  凹溝
５６  挿入用垂直部材側金具
５７  第二パネル側部受け用起立壁部
５８  係止用壁部
５９  載置部
６０  垂直部材側
７０  間仕切り
７１  天井側
７２  床側
８０  横断面Ｈ型の連結金具
８１，８２  凹溝状の受け部
８１ａ，８１ｂ、８２ａ，８２ｂ  折曲部
９０  間仕切り
９２  柱
Ｐ  パネル
Ｐａ  パネルＰの上端部
Ｐｂ  パネルＰの下端部
Ｐｂ１  パネルＰの下端部側底面部
Ｐｂ２，Ｐｂ３  パネルＰの下端部側側面部
Ｐ１，Ｐ２  パネルＰの側部
ＬＩ  折曲部２２ａ，２３ａの間隔
Ｌ０  パネルＰの幅
Ｓ  間仕切り用金具
ＳＡ  間仕切り用金具
【図１】
0004630301.tif 000002
【図２】
0004630301.tif 000003
【図３】
0004630301.tif 000004
【図４】
0004630301.tif 000005
【図５】
0004630301.tif 000006
【図６】
0004630301.tif 000007
【図７】
0004630301.tif 000008
【図８】
0004630301.tif 000009
【図９】
0004630301.tif 000010
【図１０】
0004630301.tif 000011
【図１１】
0004630301.tif 000012
【図１２】
0004630301.tif 000013
【図１３】
0004630301.tif 000014
【図１４】
0004630301.tif 000015
【図１５】
0004630301.tif 000016
【図１６】
0004630301.tif 000017
【図１７】
0004630301.tif 000018